(57)【要約】本発明は、モバイルデバイスにおいて複数のリアルタイムのデータストリームをナビゲートするためのシステム及び方法を提供する。まず、複数のサムネイル画像表示が表示される（６３０）。各サムネイル画像は、利用可能なリアルタイムのデータストリームと関連づけられる。次に、ユーザによって、複数の表示されたサムネイル画像表示をナビゲーションするためのナビゲーション入力がユーザインタフェースを介して提供される（６４０）。ナビゲーション入力に基づき、現在選択されているサムネイル画像表示がハイライト表示される（６５０）。或いは、モバイルデバイスのディスプレイ上に目立つように表示される。その後、ユーザがハイライト表示されたサムネイル画像表示をユーザインタフェースを介して選択すると（６６０）、ハイライト表示されたサムネイル画像表示に関連づけられたリアルタイムのデータストリームが起動される。これにより、モバイルデバイスのディスプレイ上に選択されたサムネイル画像表示に関連づけられたリアルタイムのデータストリームが表示される（６７０）。
2009520441.tif 000002
【特許請求の範囲】
【請求項１】
モバイルデバイス上で複数のリアルタイムのデータストリームをナビゲートする方法であって、
各画像が利用可能なリアルタイムのデータストリームに関連づけられた複数のサムネイル画像表示を表示するステップ６３０と、
表示された前記複数のサムネイル画像表示をナビゲートするためのナビゲーション入力をユーザインタフェースから受信するステップ６４０と、
前記ナビゲーション入力に基づき、現在選択されているサムネイル画像表示をハイライト表示するステップ６５０と、
前記ハイライト表示されたサムネイル画像表示に関連づけられた前記リアルタイムのデータストリームを起動するための選択入力を前記ユーザインタフェースから受信するステップ６６０と、
前記選択されたハイライト表示されたサムネイル画像表示に関連づけられた前記リアルタイムのデータストリームを、モバイルデバイスのディスプレイに表示するステップ６７０と
を含むことを特徴とする方法。
【請求項２】
前記ハイライト表示されたサムネイル画像表示に関連づけられた前記リアルタイムのデータストリームの音声部分を再生するステップ６６０をさらに含むことを特徴とする請求項１に記載の方法。
【請求項３】
前記サムネイル画像表示は、それぞれ関連づけられたリアルタイムのデータストリームからキャプチャされた静止画像であることを特徴とする請求項１に記載の方法。
【請求項４】
各サムネイル画像表示は、それ自身のリアルタイムのデータストリームであることを特徴とする請求項１に記載の方法。
【請求項５】
複数のリアルタイムのデータストリームをナビゲートするためのモバイルデバイス１００であって、
複数のリアルタイムのデータストリームを受信するデータストリーム受信機２５４と、
各画像が利用可能なリアルタイムのデータストリームに関連づけられた複数のサムネイル画像表示３１０を表示するディスプレイ２１２と、
表示された前記複数のサムネイル画像表示３１０をナビゲートするためのナビゲーション入力を受信するユーザインタフェース２１０と、
前記データストリーム受信機２５４、ディスプレイ２１２及びユーザインタフェース２１０に接続され、前記ナビゲーション入力に基づき、現在選択されているサムネイル画像表示をハイライト表示し、前記ハイライト表示されたサムネイル画像表示に関連づけられた前記リアルタイムのデータストリームを起動するための選択入力を前記ユーザインタフェースから受信して、当該リアルタイムのデータストリームを、モバイルデバイスのディスプレイに表示するプロセッサ２２０と
を備えることを特徴とするモバイルデバイス。
【請求項６】
前記ハイライト表示されたサムネイル画像表示３１０に関連づけられた前記リアルタイムのデータストリームの音声部分が再生されることを特徴とする請求項５に記載のモバイルデバイス。
【請求項７】
前記サムネイル画像表示３１０は、それぞれ関連づけられたリアルタイムのデータストリームからキャプチャされた静止画像であることを特徴とする請求項５に記載のモバイルデバイス。
【請求項８】
各サムネイル画像表示３１０は、それ自身のリアルタイムのデータストリームであることを特徴とする請求項５に記載のモバイルデバイス。
【発明の詳細な説明】
【技術分野】
【０００１】
本発明は、携帯型移動通信装置及びシステムに関し、特に、モバイルデバイス上で、複数のリアルタイムのデータストリームを表示して操作する携帯型移動通信装置、システム及び方法に関するものである。
【背景技術】
【０００２】
移動電話機のような携帯型移動通信装置がさらに高度なものになりつつあり、多くの新たな機能と能力とがその中に含まれるようになっている。このような１つの機能として、移動体用放送信号、移動体用テレビ等を受信する能力が挙げられる。このようなサービスには、携帯機器向けデジタルビデオ放送（規格）（ＤＶＢ−Ｈ）、デジタルメディア放送（ＤＭＢ）、一体サービス型地上デジタル放送（ＩＳＤＢ−Ｔ）、モバイルブロードキャスト・マルチキャストサービス（ＭＢＭＳ）、又は類似の技術が含まれる。移動電話機の中に実装される場合、前述の技術のすべては、既存の移動無線送受信機である携帯型移動通信装置を用いて受信できるＭＢＭＳを除いて、個別の移動体用放送チューナを利用することになる。
【０００３】
これらの技術により提供されるデータストリームのコンテンツをナビゲートすることは、必ずしも視覚的に直感できるものとは限らない。例えば、ユーザは、特定のデータストリームに添付する選択を行う前や、特定のデータストリームを受信する選択を行う前に、利用可能なデータストリームのクリップ、又は、サンプルを見ることができない場合がある。
【発明の開示】
【発明が解決しようとする課題】
【０００４】
現在、上述のユーザのジレンマを解決する方法は提供されていない。そこで、本発明は、第１の表示オプションとして、ユーザが受信するデータストリームを選択する前に、当該ユーザのモバイルデバイスにおいてリアルタイムのデータストリームの複数のインスタンスを同時に見ることを可能にする仕組みを提供する。
【課題を解決するための手段】
【０００５】
本発明は、モバイルデバイス上で複数のリアルタイムのデータストリームをナビゲートするためのシステム及び方法を提供する。利用可能なリアルタイムのデータストリームに関連づけられた複数のサムネイル画像表示が表示される。ユーザによって、複数の表示されたサムネイル画像表示の中でナビゲーションするためのナビゲーション入力がユーザインタフェースを介して提供される。ナビゲーション入力に基づき、現在選択されているサムネイル画像表示がハイライト表示される。或いは、モバイルデバイスのディスプレイ上に目立つように表示される。その後、ユーザがハイライトされたサムネイル画像表示をユーザインタフェースを介して選択すると、ハイライトされたサムネイル画像表示に関連づけられたリアルタイムのデータストリームが起動される。これにより、モバイルデバイスのディスプレイ上に選択されたサムネイル画像表示に関連づけられたリアルタイムのデータストリームが表示される。ハイライトされたサムネイル画像表示に関連づけられたリアルタイムのデータストリームの音響部分は、当該モバイルデバイスで再生可能であれば作動される。
【０００６】
モバイルデバイスが複数のリアルタイムのデータストリームを同時に表示できる場合に、サムネイル画像表示は、関連するリアルタイムのデータストリームの縮小バージョン、又は、リアルタイムのデータストリームからキャプチャされた静止画像であってもよい。
【発明を実施するための最良の形態】
【０００７】
いくつかのモバイルデバイス（携帯型移動通信装置）は、携帯機器向けデジタルビデオ放送（ＤＶＢ−Ｈ）、デジタルメディア放送（ＤＭＢ）、一体サービス型地上デジタル放送（ＩＳＤＢ−Ｔ）、又は同様の技術のような、モバイル用放送テレビ信号やモバイルテレビの信号を受信することができる。これらの技術により、リアルタイムの音声／映像のデータストリームがモバイルデバイスに供給される。本明細書において使用される用語「リアルタイムのデータストリーム」は、データのフォーマットに関係なく、発信元からモバイルデバイスに（有線又は無線で）ストリーム配信されることが可能なオーディオ成分及びビデオ成分を有するデータ信号のみならず上述のような信号にも適用される。
【０００８】
図１は、リアルタイムの音声／映像のデータストリームを受信して表示する携帯型移動通信装置の一例を示すブロック図である。図１において携帯型移動通信装置１００は、「フリップ」型又は「クラムシェル（clamshell）」型の移動電話機に共通する例として示されている。携帯型移動通信装置１００は、当該携帯型移動通信装置１００の上部にディスプレイ１１０及びスピーカ１２０を備える。また、携帯型移動通信装置１００は、当該携帯型移動通信装置１００の下部に複数のファンクションキー１３０、ジョイスティック、及び英数字キー１５０を備える。
【０００９】
図１に示すモバイルデバイスは、音声／映像のデータストリーム、例えば、モバイル用のテレビ放送を受信して表示するために必要となる手段が実装される。本発明は、モバイルデバイスに表示する１以上のデータストリームを閲覧するための便利な手段や１以上のデータストリームを選択するための便利な手段をユーザに提供する表示及びナビゲーションツールの問題を解決する。したがって、ここでは、モバイルデバイスの「モバイル用のテレビ」受信機を構成する電子機器、ハードウェア及びソフトウェアに関する説明は省略する。したがって、モバイルデバイスによって受信可能なデータストリームの操作及び表示に使用されるハードウェアやソフトウェアについて説明する。
【００１０】
図２は、リアルタイムの音声／映像のデータストリームを受信して表示する携帯型移動通信装置の選択された内部のコンポーネントを示すブロック図である。図２は、本発明の説明を目的とするものであって、本発明を特別の設計に限定するものではない。図２に示す携帯型移動通信装置１００は、通話及び他の通信の開始と実行とを含む携帯型移動通信装置１００の動作の制御を容易にするためのオペレータ、即ちユーザインタフェース２１０を含むものであってもよい。ユーザインタフェース２１０は、携帯型移動通信装置１００の状態と動作とに関して視覚信号をユーザへ提供するディスプレイ２１２を含むものであってもよい。ディスプレイ２１２はカラー画像を表示できる液晶ディスプレイ（ＬＣＤ）等であってもよい。ディスプレイ２１２は、画像、テキスト、数字、キャラクタ、グラフィックユーザインタフェース（ＧＵＩ）等の形でユーザ、即ちオペレータへ情報を提供することができる。
【００１１】
ユーザインタフェース２１２はまた、キーパッドや、ジョイスティック等のようなポインティングデバイスを含むファンクションキー／ボタン２１４を含むものであってもよい。キーパッド、ファンクションボタン、及びジョイスティック２１４は、ユーザが電話番号をダイアルしたり、通話を開始又は終了させたり、移動体用ＴＶサービスプロバイダ又はインターネットへアクセスするなどの他の通信を確立したり、電子メールやテキストメッセージ等の送受信を行ったりするために、ユーザが携帯型移動通信装置１００とコマンドをやり取りすることを可能にする。キーパッド、ファンクションボタン、ジョイスティック２１４を用いて、携帯型移動通信装置１００の他の動作を制御することも可能である。触覚入力を受信するタッチパネル式ディスプレイにキーパッド、ファンクションボタン及びジョイスティック２１４が実装されてもよい。
【００１２】
ディスプレイ２１２、キーパッド及びファンクションボタン２１４は、メインプロセッサと制御論理ユニット２２０とに結合されたものであってもよい。プロセッサと制御論理ユニットはマイクロプロセッサ等であってもよい。プロセッサと論理ユニット２２０は、移動体用ＴＶサービスプロバイダに対応する開始及び終了ポインタを設定するアプリケーション２２２を含むものであってもよい。図６のフローチャートにおいて説明される携帯型移動通信装置１００の機能及び操作は、ストリーム配信されたコンテンツをナビゲートし表示するためのアプリケーション２２２に含まれる。ストリーム配信されたコンテンツをナビゲートし表示するためのアプリケーション２２２は、ハードウェア、ファームウェア、ソフトウェア（データ構造）又はそれらの組み合わせで実装されてもよい。プロセッサ及びロジックユニット２２０は、他のデータ構造、ソフトウェアプログラム、コンピュータアプリケーション、及びエンコード制御信号やデコード制御信号等を含んでもよく、通信手順及び以下で説明する他の機能を実行する。
【００１３】
ユーザインタフェース２１０はマイクとスピーカ２１６とを含むものであってもよい。マイク２１６はユーザから又は別の音響ソースから音声信号や音響信号を受信する。マイク２１６は音声信号又は音響信号を電気信号に変換する。マイク２１６はプロセッサと論理演算ユニット２２０に接続され、当該プロセッサと論理論理ユニット２２０は電気信号をベースバンド通信信号に変換する。上記プロセッサと制御論理ユニット２２０は、無線送信機２３０に接続され、当該無線送信機は、上記プロセッサと制御論理ユニット２２０とから出されるベースバンド信号を無線周波数（ＲＦ）信号に変換する。無線送信機２３０は、移動体用無線アクセスネットワーク（ＭＲＡＮ）等のような通信媒体又はシステムへＲＦ信号を送信するためのアンテナアセンブリ２４０に接続されてもよい。
【００１４】
携帯型移動通信装置１００はまた移動体用ＴＶ装置２５０を含んでもよい。移動体用ＴＶ装置２５０はＤＶＢ−Ｈ型装置等であってもよい。移動体用ＴＶ装置２５０は、携帯型移動通信装置１００の一部として一体に形成されたものであってもよいし、又は、携帯型移動通信装置１００に関連して接続されると共に、作動できる別個のユニットであってもよい。移動体用ＴＶ装置２５０は、移動体用ＴＶ放送ネットワーク、放送無線アクセスネットワーク（Ｂ−ＲＡＮ）１３０等から番組放送信号を受信するためのアンテナアセンブリ２５２を含んでもよい。受信機２５４は、放送信号を受信するために上記アンテナアセンブリ２５２に結合される。信号プロセッサ２５６は、放送信号を受信機２５４から受信し、携帯型移動通信装置１００のディスプレイ２１２に表示するためのフォーマットに上記放送信号を変換する。或いは、信号プロセッサ２３０は、受信機２５４から放送信号を受信し、携帯型移動通信装置１００のディスプレイ２１２に表示するためのフォーマットに上記放送信号を変換することも可能である。
【００１５】
図３は、複数のリアルタイムの音声／映像のデータストリームのサムネイル表示３１０を表示した携帯型移動通信装置のディスプレイ１１０を示す図である。ユーザは、リアルタイムでのストリーミングが可能なプレビュー表示を得るために、サムネイル画像３１０の中でナビゲートすることができる。ユーザがサムネイル画像へナビゲートするごとに、縁取り領域がハイライト表示され、或いは他の方法で、現在選択されているサムネイル画像を示すためにユーザに対してより目立つように表示してもよい。
【００１６】
図３は、利用可能なリアルタイムのストリームそれぞれから取得した静止画像を表示している。この静止画像は、放送されている実際の番組に関して現状の映像として提供するように、できる限り同時期のそれぞれのリアルタイムのストリームから取得される。モバイルデバイスが複数のリアルタイムのストリームを同時に扱い、出力することができる場合、サムネイル画像は、サムネイル・データストリームに置き換えられてもよい。
【００１７】
所定の時間で１つの音声入力のみが適応されるため、現状ハイライト表示されたサムネイル画像のみが、「アクティブ」であるリアルタイムのデータストリームの音声部分を有することとなる。これにより、選択のために表示された複数のリアルタイムのストリームとともに、プレビュー画面が提供されることとなる。
【００１８】
図４は、選択されたリアルタイムの音声／映像のデータストリームのフルスクリーン表示を表示した携帯型移動通信装置のディスプレイを示す図である。図３の示すディスプレイからユーザが選択を実行すると、選択されたサムネイル画像に関連づけられたリアルタイムのデータストリーム４１０が起動される。ディスプレイの下部に示す複数の小さいアイコンは、ユーザに図３のサムネイルディスプレイに戻る機能４２０や、利用可能な他のリアルタイムのデータストリームに直接切り替える機能４３０を提供する。
【００１９】
図５は、複数のリアルタイムの音声／映像のデータストリームのピクチャ・イン・ピクチャ表示を表示した携帯型移動通信装置のディスプレイを示す図である。この例では、ユーザは、２つのリアルタイムの音声／映像のデータストリームのピクチャ・イン・ピクチャ表示を設定することができる。大きい方のリアルタイムのデータストリーム５１０は、最初の入力で指定される。一方、小さい方のリアルタイムのデータストリーム５２０は、２番目の入力で指定される。アイコン５３０を押下すると、最初の指定と２番目の指定を入れ替えることができる。一方、アイコン５４０が押下されると、新たなリアルタイムのデータストリームを２番目の指定にすることができる。
【００２０】
図６は、本発明の実施形態に係る制御方法を示すフローチャートである。ブロック６１０の前処理において、モバイルデバイスによって表示可能な全てのリアルタイムのデータストリームが検索され特定される。ブロック６２０において、現状の静止画像が各利用可能なリアルタイムのデータストリームから取得される。ブロック６３０において、各リアルタイムのデータストリームを提示するサムネイル画像を表示する。モバイルデバイスが複数のリアルタイムのデータストリームを同時に実行可能な場合、サムネイルとして、データストリームからキャプチャした静止画像が表示されるよりも、むしろ各リアルタイムのデータストリームが表示されることが望ましい。ブロック６４０において、モバイルデバイスは、複数のサムネイル画像の中からナビゲートするために、ユーザ入力に対応する。ブロック６５０において、モバイルデバイスは、現在ユーザによって選択されているサムネイル画像の縁取り領域をハイライト表示させる。さらに、現行プログラミングのより良い感覚をユーザに提供することができる場合に、モバイルデバイスは、ハイライト表示されたサムネイルに関連づけられたリアルタイムの音声部分のデータストリームを再生することができる。ユーザが他のサムネイルをナビゲートした場合、現状の音声出力は、新たに選択されたサムネイル画像に関連づけられた音声に切り替えられる。ブロック６６０において、ユーザがサムネイル画像の１つを選択する。これは、選択されたサムネイル画像に関連づけられたリアルタイムのデータストリームを起動することを意味する。ブロック６７０において、現在起動しているリアルタイムのデータストリームが音声を含んでモバイルデバイス上にフルスクリーンで表示される。
【００２１】
図７は、本発明の実施形態に係るリアルタイムのデータストリームを表示する場合の携帯型移動通信装置のディスプレイにおける各種状態及び各種状態遷移を示す状態遷移図である。初期状態７１０において、サムネイル画像又はサムネイル・データストリームがモバイルデバイスのディスプレイに提示される。ユーザのナビゲーションに基づき、サムネイルの１つがハイライト表示されるか、或いはディスプレイ上で目立つように表示される。当該モバイルデバイスで可能であれば、ハイライト表示されたサムネイルについての音声が再生される。図７に示すように、初期状態から他の状態への状態遷移は２つ存在する。
【００２２】
初期状態７１０からの１つ目の状態遷移７１５では、ユーザがハイライト表示されたサムネイル画像を選択する、即ち、選択されたサムネイルに関連づけられたリアルタイムのデータストリームが起動される。この状態は、状態ボックス７２０で示され、当該状態ボックス７２０では、単一のリアルタイムのデータストリームがその音声とともに表示される。この状態では、ユーザは２つの状態遷移を引き起こすことができる。１つ目の状態遷移７２５は、単に、モバイルデバイスに異なるリアルタイムのデータストリームに切り替えさせる新たな入力を選択することである。２つ目の状態遷移７２７は、複数のサムネイル画像の初期状態７１０に戻ることである。
【００２３】
初期状態７１０からの２つ目の状態遷移７１７では、ユーザは、ピクチャ・イン・ピクチャ型の表示を行うために第１及び第２のサムネイルを選択する。ピクチャ・イン・ピクチャ表示状態７３０では、モバイルデバイスにおけるディスプレイの大部分において第１のリアルタイムのデータストリームが表示され、モバイルデバイスにおけるディスプレイのより小さい部分において第２のリアルタイムのデータストリームが表示される。さらに、第１のリアルタイムのデータストリームに関する音声が再生される。図７に示すように、ピクチャ・イン・ピクチャ表示状態７３０からの３つの状態遷移が存在する。１つ目の状態遷移７３３は、単に、リアルタイムのデータストリームに関する第１及び第２の指定の切り替え、又は、第１及び第２の指定の交換を行うものである。これは、第２のデータストリームを第１のデータストリームに交換したり、その逆を行うことができる。また、新たな第１のリアルタイムのデータストリームに関する音声が再生され、他の音声は停止される。２つ目の状態遷移７３５は、単一の状態７２０を選択して、ピクチャ・イン・ピクチャ表示を無効にすることである。この状態遷移は、第２のリアルタイムのデータストリームを、モバイルデバイスにおけるディスプレイから消すことになる。最後の状態遷移７３７は、複数のサムネイル画像表示の初期状態７１０に戻ることである。
【００２４】
双方向型音声機能を介して、また、携帯型移動通信装置等のディスプレイに示されるグラフィックユーザインタフェース（ＧＵＩ）を介して、本発明に係る任意のプロンプトを提示したり、応答させたりすることが可能である。
【００２５】
当業者には理解できると思われるが、本発明は、方法、システム、又は、コンピュータプログラムとして実現することが可能である。したがって、本発明は、全体としてハードウェアの実施形態か、全体としてソフトウェアの実施形態（ファームウェア、常駐ソフトウェア、マイクロコードなどを含む）か、又はソフトウェアとハードウェアとの態様を組み合わせた実施形態の形をとり得る。本明細書ではこれらすべてを一般的に「回路」、「モジュール」又は「システム」と呼ぶことにする。さらに、本発明は、コンピュータで使用可能な記憶媒体上のコンピュータプログラムであって、上記媒体に組み込まれたプログラムコードを含むコンピュータプログラムの形をとることも可能である。
【００２６】
任意の好適なコンピュータ可読媒体を利用してもよい。コンピュータで使用可能な媒体又はコンピュータ可読媒体は、例えば、電子的、磁気的、光学的、電磁的、赤外線の又は半導体のシステム、設備、装置、又は伝播媒体であるが、これらに限定されるわけではない。コンピュータ可読媒体のさらに詳細な例（非包括的なリスト）には、１以上の配線を有する電気接続、ポータブルコンピュータディスケット、ハードディスク、ランダムアクセスメモリ（ＲＡＭ）、リードオンリメモリ（ＲＯＭ）、消去可能なプログラム可能なリードオンリメモリ（ＥＰＲＯＭ又はフラッシュメモリ）、光ファイバ、携帯用コンパクトディスクリードオンリメモリ（ＣＤ−ＲＯＭ）、光記憶装置、インターネット若しくはイントラネットをサポートするような送信媒体、又は、磁気記憶装置が含まれる。なお、コンピュータで使用可能な媒体又はコンピュータ可読媒体とは、プログラムが印刷された紙又は別の適切な媒体であってもよい。これは、例えば紙又は他の媒体を光走査し、その後必要に応じてコンパイル、変換又は適切な方法で処理を行い、コンピュータメモリに記憶することによって、プログラムを電子的に取り込むことが可能だからである。本書の文脈において、コンピュータで使用可能な又はコンピュータで読取り可能な媒体は、命令実行システム、設備、又は装置により又は共に使用される番組を収容し、記憶し、通信し、伝播し、又は転送できるあらゆる媒体であってもよい。
【００２７】
本発明の演算を実行するためのコンピュータプログラムコードは、Ｊａｖａ（登録商標）、Ｓｍａｌｌｔａｌｋ、Ｃ＋＋等のようなオブジェクト指向言語で書かれたものであってもよい。しかし、本発明の演算を実行するためのコンピュータプログラムコードは、従来の手続きプログラミング言語、例えばＣプログラム言語、又は同様のプログラム言語で書かれていてもよい。プログラムコードは、ユーザのコンピュータでその全体を実行してもよいし、ユーザのコンピュータでその一部を、ユーザのコンピュータで独立型ソフトウェアパッケージとしてその一部を、及び、遠隔コンピュータにおいてその一部を、又は遠隔コンピュータ若しくはサーバでその全体を実行してもよい。後者のシナリオでは、ローカルエリアネットワーク（ＬＡＮ）又は広域ネットワーク（ＷＡＮ）を介して遠隔コンピュータをユーザのコンピュータに接続してもよい。或いは、この接続は、（インターネットサービスプロバイダなどを利用するインターネットを通じて）外部のコンピュータと行うようにしてもよい。
【００２８】
本発明の実施形態による方法、装置（システム）、コンピュータプログラムのフローチャート図及びブロック図の少なくともいずれかを参照しながら、本発明について説明した。フローチャート図とブロック図の少なくともいずれかの個々のブロック、及び、フローチャート内のブロックとブロック図の少なくともいずれかの組み合わせがコンピュータプログラム命令により実現可能であることは理解できよう。これらのコンピュータプログラム命令は、汎用コンピュータ、特定用途のコンピュータ、機械を生産するための他のプログラム可能なデータ処理装置のプロセッサに対して提供される。コンピュータと、その他のプログラム可能なデータ処理装置のプロセッサとにより実行される命令は、フローチャートとブロック図のブロック又はブロック群との少なくともいずれかのブロックで特定される機能／動作を実行する手段を創出する。
【００２９】
また、これらのコンピュータプログラム命令は、コンピュータ可読メモリに格納されてもよく、これらの命令は、コンピュータ又は他のプログラム可能なデータ処理装置に対して特定の方法で指示を行うことができる。そうすることで、コンピュータ可読メモリに格納された上記命令によって、フローチャートとブロック図のブロック又はブロック群との少なくともいずれかのブロックで特定される機能／動作を実現する命令手段を含むコンピュータプログラムが生成される。
【００３０】
上記コンピュータプログラム命令は、コンピュータ又は他のプログラム可能なデータ処理装置において一連の処理ステップを実行するために、コンピュータ又は他のプログラム可能なデータ処理装置にロードされ、コンピュータにより実行される処理を生成してもよい。そうすることで、コンピュータ又は他のプログラム可能な装置において実行される命令は、フローチャートと、ブロック図のブロック又はブロック群とで特定される機能／動作を実現するステップを提供することになる。
【００３１】
上記図中のフローチャート及びブロック図は、本発明の各種の実施形態に係るシステム、方法並びにコンピュータプログラムのアーキテクチャ、機能及び可能な実装構成の動作を例示するものである。この点に関して、フローチャート又はブロック図内の個々のブロックは、特定された（単複の）論理機能を実現する１以上の実行可能な命令を備えたモジュール、セグメント、又はコードの一部を表すことも可能である。いくつかの代替の実施形態では、上記ブロックにおいて上述した機能が図中で述べた順序とは異なる順序で行われる場合もあることにも留意されたい。例えば、続けて示される２つのブロックを、実際には、機能に応じてほぼ同時に実行され、又は、逆の順序で実行されることも時として可能である。ブロック図の個々のブロックとフローチャート図との少なくともいずれか、並びに、ブロック図内のブロックの組み合わせとフローチャート図との少なくともいずれかは、指定の機能若しくは動作又は特定用途向けハードウェアとコンピュータ命令との組み合わせを実行する特定用途向けハードウェアベースのシステムにより実現が可能であることも付記しておく。
【００３２】
本明細書で使用されている用語は特定の実施形態について単に説明することを目的とするものであって、本発明の限定を意図するものではない。本明細書で使用されているように、文脈が別段に示していない限り、単数形を示す「ａ」、「ａｎ」及び「ｔｈｅ」は複数形も同様に含むことを意図するものである。「備える（comprises）」と、「備えている（comprising）」という用語は、本明細書で使用される場合、上述の特徴、数値、ステップ、処理、要素とコンポーネントの少なくともいずれかの存在を特定する用語であるが、１以上の他の特徴、数値、ステップ、処理、要素及びこれらのグループの少なくともいずれかの存在又は追加を除外するものではないことをさらに理解されたい。
【００３３】
特定の実施形態について本明細書に図示し説明したが、当業者が認識するように、図示された特定の実施形態の代わりに同じ目的を達成するように考慮された任意の構成を用いてもよく、また本発明は別の環境において別のアプリケーションを有するものであってもよい。本願は本発明の全ての適用又は変形をカバーするものである。特許請求の範囲は、本発明の範囲を上述した特定の実施形態に限定する意図は全くない。
【図面の簡単な説明】
【００３４】
【図１】リアルタイムの音声／映像のデータストリームを受信して表示する携帯型移動通信装置の一例を示す外観図である。
【図２】リアルタイムの音声／映像のデータストリームを受信して表示する携帯型移動通信装置の選択された内部のコンポーネントを示すブロック図である。
【図３】複数のリアルタイムの音声／映像のデータストリームのサムネイル表示を表示した携帯型移動通信装置のディスプレイを示す図である。
【図４】選択されたリアルタイムの音声／映像のデータストリームのフルスクリーン表示を表示した携帯型移動通信装置のディスプレイを示す図である。
【図５】複数のリアルタイムの音声／映像のデータストリームのピクチャ・イン・ピクチャ表示を表示した携帯型移動通信装置のディスプレイを示す図である。
【図６】本発明の実施形態に係る制御方法を示すフローチャートである。
【図７】本発明の実施形態に係るリアルタイムのデータストリームを表示する場合の携帯型移動通信装置のディスプレイにおける各種状態及び各種状態遷移を示す状態遷移図である。
【図１】
2009520441.tif 000003
【図２】
2009520441.tif 000004
【図３】
2009520441.tif 000005
【図４】
2009520441.tif 000006
【図５】
2009520441.tif 000007
【図６】
2009520441.tif 000008
【図７】
2009520441.tif 000009
【国際調査報告】
2009520441.tif 000010
2009520441.tif 000011